(57)【特許請求の範囲】
【請求項１】
ディスク再生装置におけるＣＬＶサーボ回路のデータスライス回路ブロック及び／またはＰＬＬ回路ブロック中のＰチャネルＦＥＴとＮチャネルＦＥＴの特性ばらつきをジッター値が最小になるように調整するためのバランス値の調整方法において、
粗調整と精調整と微調整とを順次行うことで前記バランス値の調整を行い、
前記粗調整は調整可能範囲内で一定周波数の疑似信号を基に所定変化量の測定ピッチでジッター値が最小となるバランス値の選択を行い、選択された最適粗調整値をメモリ装置に記録する調整であり、
前記精調整は前記メモリ装置から前記バランス値の最適粗調整値を読み出して当該最適粗調整値とその前後の粗調整測定点の３点間について前記一定周波数の疑似信号を基に前記粗調整における所定変化量よりも細かな変化量の測定ピッチでジッター値が最小となるバランス値の選択を行い、選択された最適精調整値を前記メモリ装置に記録する調整であり、
前記微調整は前記メモリ装置から前記バランス値の最適精調整値を読み出して当該最適精調整値とその近傍の前記粗調整における所定変化量よりも細かな変化量の測定ピッチの測定点２〜６点について前記一定周波数の疑似信号を基にジッター値が最小となるバランス値の選択を行い、選択された最適微調整値を前記メモリ装置に記録する調整である、ことを特徴とするディスク再生装置のＣＬＶサーボ調整方法。
【請求項２】
ディスク再生装置におけるＣＬＶサーボ回路のデータスライス回路ブロック及び／またはＰＬＬ回路ブロック中のＰチャネルＦＥＴとＮチャネルＦＥＴの特性ばらつきをジッター値が最小になるように調整するためのバランス値の調整方法において、
粗調整・第１精調整と第２精調整と微調整とを順次行うことで前記バランス値の調整を行い、
前記粗調整・第１精調整は調整可能範囲内で一定周波数の疑似信号を基に所定変化量の測定ピッチでジッター値が最小となるバランス値を選択する粗調整を行い、次に選択された最適粗調整値とその前後の粗調整測定点の３点間について前記一定周波数の疑似信号を基に前記粗調整における所定変化量よりも細かな変化量の測定ピッチでジッター値が最小となるバランス値を選択する第１の精調整を行い、選択された第１の最適精調整値を前記メモリ装置に記録する調整であり、
前記第２精調整は前記メモリ装置から前記バランス値の第１の最適精調整値を読み出して当該第１の最適精調整値を中心とする前後の粗調整測定点の３点間について前記一定周波数の疑似信号を基に前記粗調整における所定変化量よりも細かな変化量の測定ピッチでジッター値が最小となるバランス値の選択を行い、選択された第２の最適精調整値を前記メモリ装置に記録する調整であり、
前記微調整は前記メモリ装置から前記バランス値の第２の最適精調整値を読み出して当該第２の最適精調整値とその近傍の前記粗調整における所定変化量よりも細かな変化量の測定ピッチの測定点２〜６点について前記一定周波数の疑似信号を基にジッター値が最小となるバランス値の選択を行い、選択された最適微調整値を前記メモリ装置に記録する調整である、ことを特徴とするディスク再生装置のＣＬＶサーボ調整方法。
【請求項３】
前記ディスク再生装置の出荷検査時の初期化後の電源投入時に粗調整または粗調整・第１精調整を行い、次に前記ディスク再生装置の電源投入時に精調整または第２精調整を行い、次にディスク再生装置へのディスク挿入後に当該ディスクに対する微調整を行うことを特徴とする請求項１または請求項２に記載のディスク再生装置のＣＬＶサーボ調整方法。
【発明の詳細な説明】
【０００１】
【発明の属する技術分野】
本発明は、ＣＬＶ（線速度一定）が採用されているＤＶＤ（デジタル・ビデオ・ディスク）やＣＤ（コンパクト・ディスク）等のディスク再生装置に関し、特にディスク再生装置のＣＬＶサーボにおけるバランス値の調整方法に関する。
【０００２】
【従来の技術】
ＤＶＤやＣＤ等のディスクを再生するディスク再生装置（記録・再生装置を含む）では、ディスクに書き込まれている情報を正確に読み出すために、ディスクの回転制御にＣＬＶ（Constant Line Velocity；線速度一定）が適用されている。
【０００３】
このＣＬＶの制御（一般にＣＬＶサーボまたはスピンドルサーボと称される）を行うためには、先ず、ＣＬＶサーボを行う符号処理用のＬＳＩ（一般にＤＳＰ；デジタルシグナルプロセッサ）において、ディスクから読み取ったＥＦＭ信号の最長ピット（ＣＤは１１Ｔ、ＤＶＤは１４Ｔ）または最短ピット（３Ｔ）の周期が概ね規定値になるようにスピンドルモータの回転数を制御し（ＣＬＶラフサーボ）、次に、これによりＥＦＭ信号がビットクロック抜き出し用ＰＬＬのキャプチャーレンジ内に入り、デジタル信号処理回路が正常に動作するので、この段階でＥＦＭのフレーム同期信号と水晶クロックを分周した基準周波数の２つを周波数−位相比較して、この誤差信号によりスピンドルモータの回転制御を行っている（ＣＬＶ精密サーボ）。
【０００４】
上記ＣＬＶサーボのための重要な要素として、符号処理用のＬＳＩ（ＤＳＰ）の中には、ディスクからフォトディテクタで読み出した信号（正弦波に近いもの）をあるレベルでスライスして方形波に変換する所謂ＤＳＬ（Data Slice）回路ブロックと、その信号を前記ＬＳＩ内部で生成した基準周波数と同期させるためのＰＬＬ（Phase Locked Loop）回路ブロックが存在する。
【０００５】
上記ＬＳＩ中の２つの回路ブロックにおいては、個々のＬＳＩ中の位相比較器のＰチャネルＦＥＴ（電界効果トランジスタ）とＮチャネルＦＥＴのチャージポンプの吸い込みと吐き出しの時間や電流値が対等な１：１から僅かにずれる「特性ばらつき」が存在するため、上記ＤＳＬ回路ブロックとＰＬＬ回路ブロックについて、各々最もディスク再生時のプレイアビリティが良くなるように、換言すればジッター値（再生信号の時間軸方向のゆらぎ）が最小となるように、ＰチャネルＦＥＴとＮチャネルＦＥＴの特性バランス調整に関する２種類のバランス値、所謂ＤＢＡＬ（ＤＳＬ  ＢＡＬＡＮＣＥ）値、ＰＢＡＬ（ＰＬＬ  ＢＡＬＡＮＣＥ）値を、再生するディスクの種類毎に予め当該ディスク再生装置のＬＳＩについて調整することが要求される。
【０００６】
従来のディスク再生装置には、使用している符号処理用のＬＳＩ（ＤＳＰ）の仕様によって異なるが、上記２種類のバランス値、ＤＢＡＬ値とＰＢＡＬ値の両者について調整を必要とするもの、片方のみの調整を必要とするもの、調整機能を省略しているもの等あるが、線速度の異なる数種類のディスク、例えばＤＶＤとＣＤの双方が再生可能なディスク再生装置においては、両方のバランス値の調整をディスク再生前に予め行う必要があるＬＳＩが多くなると予想される。
【０００７】
従来の上記ＤＢＡＬ値とＰＢＡＬ値のバランス調整方法は、例えば再生装置のトレイへのディスクの挿入の度毎に符号処理用のＬＳＩにおいて一定周波数の正弦波の疑似信号（例えば１倍速ＣＤで７００ｋＨｚ、２倍速ＣＤで１．４ＭＨｚ、ＤＶＤで５．６ＭＨｚ）をＤＳＬ回路ブロックに注入し、その出力信号に対してＰＬＬをロックさせる。その状態でＰチャネルＦＥＴとＮチャネルＦＥＴの特性バランス（利得、電流値、駆動時間の対等性）を例えば補正範囲±２０％の中で最適状態を決めるＰＢＡＬ値をその調整可能範囲２５６ステップ（０ステップ目が−２０％、２５６ステップ目が＋２０％に対応する）中で２ステップずつ細かくシフトしていきジッター値が最小となる最適調整値を求め、その後ＤＳＬ回路ブロックの補正範囲±１０％の中で最適状態を決めるＤＢＡＬ値をその調整可能範囲２０８ステップ（４８ステップが−１０％、２５６ステップが＋１０％）中で２ステップずつ細かくシフトしていきジッター値が最小となる最適調整値を求めて両者のバランス値を設定していた。
【０００８】
そして従来は上記バランス調整を再生可能な各種ディスクの判別前に行うために全種類について行っていた。例えば、ＤＶＤとＣＤが再生可能なディスク再生装置では、ＤＶＤとＣＤの２つについて各々バランス値調整を実際に再生装置のトレイにセットしたディスクの種類に関係なく行っていたのである。
【０００９】
【発明が解決しようとする課題】
上記従来のディスク再生装置においては、再生装置へのディスクのセット毎に符号処理用のＬＳＩのＰＢＡＬ値とＤＢＡＬ値のバランス調整を比較的細かいステップで行っていたので、セット後のディスク再生開始までの調整時間が長いという問題点があった。
【００１０】
また、ＤＶＤとＣＤといった複数種のディスク再生が可能な再生装置では、セットしたディスクの種類に関係なく予め再生可能なディスク全種類の調整を行わなければならないので、調整時間の増大を招いていた。
【００１１】
さらに、ＣＤには主に音楽ＣＤのＣＤＸ１（１倍速再生）、及び映像ＣＤのＣＤＸ２（２倍速再生）があるが、両者は線速度が異なるために最適なＰＢＡＬ値、ＤＢＡＬ値が異なってくるにもかかわらず、時間短縮のためにＣＤＸ２の調整しか行っていない場合が多く、ＣＤＸ１でのプレイアビリティの低下を招いている再生装置も多いという問題点も挙げられる。
【００１２】
本発明は上記従来のディスク再生装置における符号処理用のＬＳＩのバランス調整時間増大等の問題点に鑑みてなされたものであり、ディスクセット時に符号処理用のＬＳＩのＰＢＡＬ値及び／またはＤＢＡＬ値のバランス調整を短時間で行ってプレイアビリティの向上を図ったＣＬＶサーボ調整方法を提供するものである。
【００１３】
【課題を解決するための手段】
本発明は、上記課題を解決するために、
（１）ディスク再生装置におけるＣＬＶサーボ回路のデータスライス回路ブロック及び／またはＰＬＬ回路ブロック中のＰチャネルＦＥＴとＮチャネルＦＥＴの特性ばらつきをジッター値が最小になるように調整するためのバランス値の調整方法において、
粗調整と精調整と微調整とを順次行うことで前記バランス値の調整を行い、
前記粗調整は調整可能範囲内で一定周波数の疑似信号を基に所定変化量の測定ピッチでジッター値が最小となるバランス値の選択を行い、選択された最適粗調整値をメモリ装置に記録する調整であり、
前記精調整は前記メモリ装置から前記バランス値の最適粗調整値を読み出して当該最適粗調整値とその前後の粗調整測定点の３点間について前記一定周波数の疑似信号を基に前記粗調整における所定変化量よりも細かな変化量の測定ピッチでジッター値が最小となるバランス値の選択を行い、選択された最適精調整値を前記メモリ装置に記録する調整であり、
前記微調整は前記メモリ装置から前記バランス値の最適精調整値を読み出して当該最適精調整値とその近傍の前記粗調整における所定変化量よりも細かな変化量の測定ピッチの測定点２〜６点について前記一定周波数の疑似信号を基にジッター値が最小となるバランス値の選択を行い、選択された最適微調整値を前記メモリ装置に記録する調整である、ことを特徴とするディスク再生装置のＣＬＶサーボ調整方法を提供する。
（２）ディスク再生装置におけるＣＬＶサーボ回路のデータスライス回路ブロック及び／またはＰＬＬ回路ブロック中のＰチャネルＦＥＴとＮチャネルＦＥＴの特性ばらつきをジッター値が最小になるように調整するためのバランス値の調整方法において、
粗調整・第１精調整と第２精調整と微調整とを順次行うことで前記バランス値の調整を行い、
前記粗調整・第１精調整は調整可能範囲内で一定周波数の疑似信号を基に所定変化量の測定ピッチでジッター値が最小となるバランス値を選択する粗調整を行い、次に選択された最適粗調整値とその前後の粗調整測定点の３点間について前記一定周波数の疑似信号を基に前記粗調整における所定変化量よりも細かな変化量の測定ピッチでジッター値が最小となるバランス値を選択する第１の精調整を行い、選択された第１の最適精調整値を前記メモリ装置に記録する調整であり、
前記第２精調整は前記メモリ装置から前記バランス値の第１の最適精調整値を読み出して当該第１の最適精調整値を中心とする前後の粗調整測定点の３点間について前記一定周波数の疑似信号を基に前記粗調整における所定変化量よりも細かな変化量の測定ピッチでジッター値が最小となるバランス値の選択を行い、選択された第２の最適精調整値を前記メモリ装置に記録する調整であり、
前記微調整は前記メモリ装置から前記バランス値の第２の最適精調整値を読み出して当該第２の最適精調整値とその近傍の前記粗調整における所定変化量よりも細かな変化量の測定ピッチの測定点２〜６点について前記一定周波数の疑似信号を基にジッター値が最小となるバランス値の選択を行い、選択された最適微調整値を前記メモリ装置に記録する調整である、ことを特徴とするディスク再生装置のＣＬＶサーボ調整方法を提供する。
（３）ディスク再生装置の出荷検査時の初期化後の電源投入時に粗調整または粗調整・第１精調整を行い、次に前記ディスク再生装置の電源投入時に精調整または第２精調整を行い、次にディスク再生装置へのディスク挿入後に当該ディスクに対する微調整を行うことを特徴とする上記（１）または（２）に記載のディスク再生装置のＣＬＶサーボ調整方法を提供する。
【００１４】
【発明の実施の形態】
本発明に係るディスク再生装置のＣＬＶサーボ調整方法の実施の形態の例について図面を基に詳述する。なお、本発明のバランス値の調整方法は符号処理用のＬＳＩ（例えばＤＳＰ）で行われ、システムコントローラ（ＣＰＵ）のプログラムされた制御信号で実現されるのであり、その回路構成は従来のディスク再生装置と差異はない。
【００１５】
図１はＤＶＤとＣＤが再生可能なディスク再生装置における出荷検査時の初期化後の電源投入時に行うバランス値（ＰＢＡＬ値、ＤＢＡＬ値）の粗調整・第１精調整のフロー及びユーザによる電源投入時に行うバランス値の第２精調整のフロー図であり、図２は本発明に係るジッター値を最小にするバランス値（ＰＢＡＬ値、ＤＢＡＬ値）の粗調整と第１・第２精調整を説明するグラフである。図３は本発明に係るバランス値（ＰＢＡＬ値、ＤＢＡＬ値）の微調整のフロー図であり、図４はジッター値を最小にするバランス値（ＰＢＡＬ値、ＤＢＡＬ値）の微調整を説明するグラフである。
【００１６】
先ず、本発明のディスク再生装置におけるＣＬＶサーボ調整方法の特徴を直截に云えば、符号処理用ＬＳＩ（主としてＤＳＰ）中のＣＬＶサーボ回路のデータスライス回路ブロック及びＰＬＬ回路ブロック中のＰチャネルＦＥＴとＮチャネルＦＥＴのバランス値（ＰＢＡＬ値、ＤＢＡＬ値）の調整を、所定変化量、例えば８ステップずつ調整して最適粗調整値を選択する粗調整をディスク全種類について行う粗調整と、前記最適粗調整値の近傍を前記粗調整における所定変化量よりも細かな変化量で、例えば２ステップずつ精密に調整して最適精調整値を選択する精調整をディスク全種類について行う精調整と、当該ディスクについて選択された前記最適精調整値を中心にその近傍の数点を測定点にして調整を行って最適微調整値を選択する微調整と、の異なる３つの調整段階で構成されている点にある。
【００１７】
そして、上記３つのバランス調整は、粗調整若しくは粗調整と精調整を続けて実施する粗調整・第１精調整をディスク再生装置の出荷検査時の初期化後の電源投入時に行い、精調整または第２精調整を購入したユーザが前記ディスク再生装置の電源を投入した時に行い、微調整をユーザがディスク再生装置のトレイ開閉による個々のディスクの挿入後に行うように割り振るのが合理的であり、ユーザ側から見た再生開始までの調整時間の短縮のために好ましいと言える。
【００１８】
以下、前提としてＤＶＤ、ＣＤＸ２（２倍速映像付きＣＤ）、ＣＤＸｌ（１倍速音楽ＣＤ）の３種が再生可能なディスク再生装置について、符号処理用のＬＳＩとして、ＰＢＡＬ値の調整可能範囲が０〜２５６ステップ（補正範囲±２０％）、ＤＢＡＬ値の調整可能範囲が０〜２０８ステップ（補正範囲±１０％）のＤＳＰを使用し、且つ、実質的に調整可能範囲の両端側の領域は最適調整値に該当しないので全範囲を調整範囲とせずに、ＰＢＡＬ値は３２〜２２４ステップの１９３ステップ間を調整範囲と限定し、ＤＢＡＬ値は１２８〜２２４ステップまでの９７ステップ間を調整範囲と限定して行うものとする。勿論、バランス調整はＣＬＶサーボとは違って実際のディスクに対して行うものではなく、一定周波数の正弦波の疑似信号（例えば１倍速ＣＤで７００ｋＨｚ、２倍速ＣＤで１．４ＭＨｚ、ＤＶＤで５．６ＭＨｚ）を用いて行われることは従来と同様である。
【００１９】
粗調整は、メモリ装置（例えばＥＥＰＲＯＭ）に最適調整値が何も記録されていないときに、図２のグラフに示されるように、ＰＢＡＬ値、ＤＢＡＬ値の変化量を８ステップずつとした粗調整（グラフ中の黒丸が測定点）をＤＶＤ、ＣＤＸ２、ＣＤＸ１に対して順次行い、それぞれにおいてジッター値が最小となる最適調整値Ｍ１をＥＥＰＲＯＭに書き込む。この粗調整は後述の精調整や微調整よりも大まかな調整なので、測定点は少なくて済み調整時間は短い。
【００２０】
精調整は、図１に示される右側のフローで前記ＥＥＰＲＯＭに記録されたＤＶＤ、ＣＤＸ２、ＣＤＸ１の各最適粗調整値Ｍ１を読み出して、図２に示されるように、最適粗調整値Ｍ１とその前後の粗調整測定点±８ステップの測定点Ｍ２、Ｍ３の３点間について２ステップピッチで白丸６点と黒丸３点の全９点でのジッター値測定をＤＶＤ、ＣＤＸ２、ＣＤＸｌで行い、各最適精調整値Ｎ１を前記ＥＥＰＲＯＭに上書きする。調整点が９点に絞られているので調整時間は非常に短い。
【００２１】
粗調整・第１精調整は、ＤＶＤ、ＣＤＸ２、ＣＤＸ１の各ディスクに対して粗調整で選択した最適粗調整値Ｍ１を基に引き続き第１の精調整を行って、第１の最適精調整値Ｎ１をＥＥＰＲＯＭに書き込むものである。ディスク再生装置の出荷検査時の初期化後の電源投入時には前記粗調整のみに留まってもよいが、時間的に余裕があるので、図１に示される左側のフローで粗調整・第１精調整を実施してもよい。なお、粗調整・第１精調整を経た後の再度の第２精調整では、図２において、先の粗調整・第１精調整段階で得た第１の最適精調整値Ｎ１を中心にその前後の±８ステップの測定点Ｍ２′、Ｍ３′の３点間について２ステップピッチで測定してその中の最適精調整値Ｎ１′（状態が変化するのでＮ１と同一とは限らない）を選択して第２の最適精調整値としてＥＥＰＲＯＭに上書きする。
【００２２】
微調整は、図３に示されるようなフローに従って、ユーザがトレイに挿入したディスクがＤＶＤかＣＤかを判別した後、対応するディスクの最適精調整値Ｎ１（または第２の最適精調整値Ｎ１′）をＥＥＰＲＯＭから読み出し、最適精調整値Ｎ１（またはＮ１′）とその近傍の前記粗調整における所定変化量よりも細かな変化量、例えば変化量±２ステップの測定点Ｎ２、Ｎ３の３つの測定点について一定周波数の疑似信号を基にジッター値が最小となる最適微調整値を選択して前記ＥＥＰＲＯＭに上書きする。以後、再生装置はディスク再生に移行する。この微調整は電源投入中での温度変化により最適値が若干ずれた場合でもトレイを開閉するうちに徐々に最適値に近づいてプレイアビリティが向上する方向に変化するように作用するものである。なお、微調整は最適精調整値Ｎ１（または第２の最適精調整値Ｎ１′）とその前後の変化量±２ステップの測定点Ｎ２、Ｎ３点と変化量±４ステップの測定点Ｎ４、Ｎ５を加えた５点の測定点、更には同様にして７つの測定点について実施してもよい。
【００２３】
ＣＤの場合の微調整は、ディスク挿入時の判別時点でＣＤＸ１かＣＤＸ２かの判別はできないため、図３のフローから判るように両方について調整を行うこととする。何れにしてもディスクに対するバランス調整の測定点が狭い範囲の３点〜７点に絞られているので調整時間は従来に比べて極めて短くなる。
【００２４】
下記表１は、（イ）ＤＶＤとＣＤのディスク再生装置の出荷検査時の初期化後の電源投入時、（ロ）ユーザが前記ディスク再生装置の電源を投入した時、（ハ）ユーザがディスク再生装置のトレイ開閉による個々のディスクの挿入後における各バランス調整に要した調整時間につき、本発明の調整方法と従来方法との比較表である。
【００２５】
【表１】
0003807276.tif 000002
上表より、従来の調整方法に比較して、ＣＤＸ１での調整も加わっているにも拘わらず、（ロ）で最高７２％、（ハ）で最高９２％もの調整時間の短縮が図れ、ディスク再生装置の起動時間短縮に大きく寄与することが判る。
【００２６】
【発明の効果】
本発明に係るディスク再生装置のＣＬＶサーボ調整方法は、上記のように構成されているため、
（１）ＣＬＶサーボ回路のＦＥＴのバランス値調整が、（イ）粗調整、（ロ）精調整、（ハ）微調整の３つの段階、または（イ）粗調整・第１精調整、（ロ）第２精調整、（ハ）微調整の３つの段階に区分され、各段階の調整時間を短縮できるという優れた効果を有する。
（２）ディスク再生装置へのディスク挿入時に行う符号処理用ＬＳＩのバランス調整として微調整のみを行えば良いように設定でき、ディスク再生装置におけるディスク挿入から再生開始までに要する時間を大幅に短縮できるという優れた効果を有する。
【００２７】
【図面の簡単な説明】
【図１】本発明に係るＤＶＤとＣＤが再生可能なディスク再生装置における出荷検査時の初期化後の電源投入時に行うバランス値（ＰＢＡＬ値、ＤＢＡＬ値）の粗調整・第１の精調整のフロー及びユーザによる電源投入時に行うバランス値の第２の精調整のフロー図である。
【図２】本発明に係るジッター値を最小にするバランス値（ＰＢＡＬ値、ＤＢＡＬ値）の粗調整と第１・第２精調整を説明するグラフである。
【図３】本発明に係るバランス値（ＰＢＡＬ値、ＤＢＡＬ値）の微調整のフロー図である。
【図４】ジッター値を最小にするバランス値（ＰＢＡＬ値、ＤＢＡＬ値）の微調整を説明するグラフである。
【符号の説明】
Ｍ１、Ｍ２、Ｍ３、Ｍ２′、Ｍ３′  バランス値の測定点
Ｎ１、Ｎ１′、Ｎ２、Ｎ３、Ｎ４、Ｎ５    バランス値の測定点
【図１】
0003807276.tif 000003
【図２】
0003807276.tif 000004
【図３】
0003807276.tif 000005
【図４】
0003807276.tif 000006